(57)【特許請求の範囲】
【請求項１】
無線通信システムにおいて、端末（ＵＥ）が上りリンク信号を送信する方法であって、
測定した下りリンク参照信号電力に基づいて競合ベース（ｃｏｎｔｅｎｔｉｏｎ  ｂａｓｅｄ：ＣＢ）データの送信の為の領域レベルを決定するステップ；
前記決定した領域レベルに基づいて前記競合ベース（ＣＢ）データの送信モードを決定するステップ；
前記送信モードは、繰り返しモード及び再送信モードであり、
前記決定した送信モードが前記繰り返しモードであることに基づいてプリアンブルインデックスシーケンスを決定するステップ；
基地局に、前記決定したプリアンブルインデックスシーケンスに基づいて複数のプリアンブルを送信するステップ；
基地局に、前記送信された複数のプリアンブルと連係されたリソース領域における競合ベース（ＣＢ）データを繰り返し送信するステップ；を含んでなり、
前記プリアンブルインデックスシーケンスは、複数のプリアンブルインデックスを含んでなり、
前記送信した複数のプリアンブルの各々は、前記基地局に、前記競合ベース（ＣＢ）データの繰り返し送信の試し回数を示す、上りリンク信号送信方法。
【請求項２】
前記プリアンブルインデックスシーケンスに含まれる複数のプリアンブルインデックスが異なることに基づいて、異なるＲＶ（redundancy versions）が前記競合ベース（ＣＢ）データに適用される、請求項１に記載の上りリンク信号送信方法。
【請求項３】
前記決定した領域レベルに基づいて、前記競合ベース（ＣＢ）データの為の、変調及びコードスキーム、ＭＣＳ、及び繰り返し送信の回数を決定する、請求項１に記載の上りリンク信号送信方法。
【請求項４】
無線通信システムにおいて、基地局が上りリンク信号を受信する方法であって、
端末（ＵＥ）に、競合ベース（ｃｏｎｔｅｎｔｉｏｎ  ｂａｓｅｄ：ＣＢ）データの送信の為の領域レベルに対応するプリアンブルインデックスシーケンスの割り当て情報を送信するステップ；
前記ＵＥから複数のプリアンブルを受信するステップ；
前記受信した複数のプリアンブルに基づいて、各プリアンブルに対応するプリアンブルインデックスを検出するステップ；
前記検出したプリアンブルインデックスに基づいて前記競合ベース（ＣＢ）データの送信モードを決定するステップ；
前記送信モードは、繰り返しモード及び再送信モードであり、
前記決定した送信モードが前記繰り返しモードであることに基づいて、前記検出したプリアンブルインデックスと連係されたリソース領域において前記競合ベース（ＣＢ）データを繰り返し受信するステップ；を含んでなり、
前記プリアンブルインデックスシーケンスは、複数のプリアンブルインデックスを含んでなり、
前記複数のプリアンブルインデックスの各々は、前記基地局により、前記競合ベース（ＣＢ）データの繰り返し送信の試し回数を示す、上りリンク信号受信方法。
【請求項５】
前記プリアンブルインデックスシーケンスに含まれる複数のプリアンブルインデックスが異なることに基づいて、異なるＲＶ（redundancy versions）が前記競合ベース（ＣＢ）データに適用される、請求項４に記載の上りリンク信号受信方法。
【請求項６】
前記端末（ＵＥ）が決定した領域レベルに基づいて、前記競合ベース（ＣＢ）データの為の、変調及びコードスキーム、ＭＣＳ、及び繰り返し送信の回数が決定され、
前記領域レベルは、前記端末（ＵＥ）が測定した下りリンク参照信号電力に基づいて決定される、請求項４に記載の上りリンク信号受信方法。
【請求項７】
上りリンク信号を送信する、端末（ＵＥ）であって、
送信器；及び
プロセッサ；を備えてなり、
前記プロセッサは、
測定した下りリンク参照信号電力に基づいて競合ベース（ｃｏｎｔｅｎｔｉｏｎ  ｂａｓｅｄ：ＣＢ）データの送信の為の領域レベルを決定し；
前記決定した領域レベルに基づいて前記競合ベース（ＣＢ）データの送信モードを決定し；
前記送信モードは、繰り返しモード及び再送信モードであり、
前記決定した送信モードが前記繰り返しモードであることに基づいてプリアンブルインデックスシーケンスを決定し；
基地局に、前記決定したプリアンブルインデックスシーケンスに基づいて複数のプリアンブルを送信し；
基地局に、前記送信された複数のプリアンブルと連係されたリソース領域における競合ベース（ＣＢ）データを繰り返し送信する；ことを含んでなり、
前記プリアンブルインデックスシーケンスは、複数のプリアンブルインデックスを含んでなり、
前記送信した複数のプリアンブルの各々は、前記基地局に、前記競合ベース（ＣＢ）データの繰り返し送信の試し回数を示す、端末。
【請求項８】
上りリンク信号を受信する、基地局であって、
受信器；及び
プロセッサ；を備えてなり、
前記プロセッサは、
端末（ＵＥ）に、競合ベース（ｃｏｎｔｅｎｔｉｏｎ  ｂａｓｅｄ：ＣＢ）データの送信の為の領域レベルに対応するプリアンブルインデックスシーケンスの割り当て情報を送信し；
前記ＵＥから複数のプリアンブルを受信し；
前記受信した複数のプリアンブルに基づいて、各プリアンブルに対応するプリアンブルインデックスを検出し；
前記検出したプリアンブルインデックスに基づいて前記競合ベース（ＣＢ）データの送信モードを決定し；
前記送信モードは、繰り返しモード及び再送信モードであり、
前記決定した送信モードが前記繰り返しモードであることに基づいて、前記検出したプリアンブルインデックスと連係されたリソース領域において前記競合ベース（ＣＢ）データを繰り返し受信する；ことを含んでなり、
前記プリアンブルインデックスシーケンスは、複数のプリアンブルインデックスを含んでなり、
前記複数のプリアンブルインデックスの各々は、前記基地局により、前記競合ベース（ＣＢ）データの繰り返し送信の試し回数を示す、基地局。
【発明の詳細な説明】
【技術分野】
【０００１】
本発明は、無線通信システムに関し、具体的に、競合ベースで信号を送信又は受信するための方法及びそのための装置に関する。
【背景技術】
【０００２】
より多くの通信装置がより大きな通信容量を要求することになり、最近、次世代通信システム（ｅ．ｇ．，５Ｇ又はＮｅｗ  ＲＡＴ）のシナリオが論議されている。論議中のシナリオは、ｅＭＢＢ（Ｅｎｈａｎｃｅｄ  Ｍｏｂｉｌｅ  ＢｒｏａｄＢａｎｄ）、ｕＭＴＣ（Ｕｌｔｒａ−ｒｅｌｉａｂｌｅ  Ｍａｃｈｉｎｅ−Ｔｙｐｅ  Ｃｏｍｍｕｎｉｃａｔｉｏｎｓ）及びｍＭＴＣ（Ｍａｓｓｉｖｅ  Ｍａｃｈｉｎｅ−Ｔｙｐｅ  Ｃｏｍｍｕｎｉｃａｔｉｏｎｓ）を含む。ｅＭＢＢは、高いスペクトル効率性（Ｈｉｇｈ  Ｓｐｅｃｔｒｕｍ  Ｅｆｆｉｃｉｅｎｃｙ）、高いユーザ経験データ送信率（Ｈｉｇｈ  Ｕｓｅｒ  Ｅｘｐｅｒｉｅｎｃｅｄ  Ｄａｔａ  Ｒａｔｅ）、高いピークデータ送信率（Ｈｉｇｈ  Ｐｅａｋ  Ｄａｔａ  Ｒａｔｅ）などの特性を有する次世代移動通信シナリオである。ｕＭＴＣは、非常に高い信頼性（Ｕｌｔｒａ  Ｒｅｌｉａｂｌｅ）、非常に低い遅延（Ｕｌｔｒａ  Ｌｏｗ  Ｌａｔｅｎｃｙ）及び非常に高い使用性（Ｕｌｔｒａ  Ｈｉｇｈ  Ａｖａｉｌａｂｉｌｉｔｙ）などの特性を有する次世代移動通信シナリオであって、例えば、Ｖ２Ｘ、緊急サービス（Ｅｍｅｒｇｅｎｃｙ  Ｓｅｒｖｉｃｅ）、遠隔制御（Ｒｅｍｏｔｅ  Ｃｏｎｔｒｏｌ）などを含む。ｍＭＴＣは、低コスト（Ｌｏｗ  Ｃｏｓｔ）、低電力（Ｌｏｗ  Ｅｎｅｒｇｙ）及び小さいパケット（Ｓｈｏｒｔ  Ｐａｃｋｅｔ）、大規模接続性（Ｍａｓｓｉｖｅ  Ｃｏｎｎｅｃｔｉｖｉｔｙ）などの特性を有する次世代移動通信シナリオであって、例えば、ＩｏＴを含むことができる。
【０００３】
図１は、５ＧのためのＩＭＴ  ２０２０において提示した核心性能要求事項と、各サービスシナリオの５Ｇ性能要求事項との連関性を示す。特に、ｕＭＴＣサービスは、ＯＴＡ遅延要求事項（Ｏｖｅｒ  Ｔｈｅ  Ａｉｒ  Ｌａｔｅｎｃｙ  Ｒｅｑｕｉｒｅｍｅｎｔ）が非常に制限的であり、高い移動性及び高い信頼性が求められる（ｅ．ｇ．，ＯＴＡ  Ｌａｔｅｎｃｙ＜１ｍｓ，Ｍｏｂｉｌｉｔｙ＞５００ｋｍ／ｈ，ＢＬＥＲ＜１０−６）。
【０００４】
このように、ｅＭＢＢ、ｍＭＴＣ及びＵＲＬＣＣなどを考慮した新たな無線接続技術（Ｎｅｗ  ＲＡＴ）が次世代無線通信のために論議されている。
【発明の概要】
【発明が解決しようとする課題】
【０００５】
本発明が遂げようとする技術的課題は、競合ベースの信号送受信をより正確且つ効率的に行うための方法及びそのための装置を提供することにある。
【０００６】
本発明の技術的課題は、上述した技術的課題に制限されず、他の技術的課題が本発明の実施例より類推できる。
【課題を解決するための手段】
【０００７】
上述した技術的課題を達成するための本発明の一実施例による無線通信システムにおいて、端末が上りリンク信号を送信する方法は、複数のプリアンブルのうちのいずれか１つを送信するステップ；及び前記送信されたプリアンブルを考慮して、データの競合ベース送信を行うステップを含み、前記複数のプリアンブルのそれぞれが複数のデータリソース領域と連係されて、前記データの競合ベース送信を行うために、前記端末は、前記送信されたプリアンブルと連係された複数のデータリソース領域を介して前記データを繰り返し送信してもよい。
【０００８】
本発明の他の一実施例により、上りリンク信号を送信する端末は、送信器；及び前記送信器を用いて複数のプリアンブルのうちのいずれか１つを送信して、前記送信されたプリアンブルを考慮して、データの競合ベース送信を行うプロセッサを含み、前記複数のプリアンブルのそれぞれが複数のデータリソース領域と連係されて、前記データの競合ベース送信を行うために、前記プロセッサは、前記送信されたプリアンブルと連係された複数のデータリソース領域を介して前記データを繰り返し送信してもよい。
【０００９】
本発明のまた他の一実施例による無線通信システムにおいて、基地局が上りリンク信号を受信する方法は、複数のプリアンブルのうちのいずれか１つを受信するステップ；及び前記受信されたプリアンブルを考慮して、競合ベース送信されたデータを受信するステップを含み、前記複数のプリアンブルのそれぞれが複数のデータリソース領域と連係されて、前記データを受信するために、前記基地局は、前記受信されたプリアンブルと連係された複数のデータリソース領域を介して前記データを繰り返し受信してもよい。
【００１０】
本発明のまた他の一実施例により、上りリンク信号を受信する基地局は、受信器；及び前記受信器を用いて、複数のプリアンブルのうちのいずれか１つを受信して、前記受信されたプリアンブルを考慮して、競合ベース送信されたデータを受信するプロセッサを含み、前記複数のプリアンブルのそれぞれが複数のデータリソース領域と連係されて、前記データを受信するために、前記プロセッサは、前記受信されたプリアンブルと連係された複数のデータリソース領域を介して前記データを繰り返し受信してもよい。
【００１１】
前記端末は、前記送信されたプリアンブルと連係された前記複数のデータリソース領域の数だけ前記データを繰り返し送信してもよい。例えば、前記複数のプリアンブルは、それぞれ異なるデータ繰り返し回数と連係されてもよい。
【００１２】
前記複数のプリアンブルのそれぞれは、端末グループ単位で割り当てられ、同一の端末グループに属した端末は、同一のプリアンブルを用いてもよい。
【００１３】
前記端末は、基地局から前記複数のプリアンブルの割り当て情報を受信して、前記端末のチャネル状態に応じて、前記複数のプリアンブルのうち前記端末が送信しようとするプリアンブルを選択してもよい。
【００１４】
前記データには、競合ベース送信のための拡散シーケンスコードが適用され、前記複数のプリアンブルは、それぞれ異なる拡散シーケンスコードと連係されてもよい。
【発明の効果】
【００１５】
本発明の一実施例によれば、データ送受信の方式に関する更なる情報がプリアンブルを介して先に提供されることで、競合ベースの信号送受信がより正確且つ効率的に行われることができる。
【００１６】
本発明の技術的効果は、上述した技術的効果に制限されず、他の技術的効果が本発明の実施例より類推できる。
【図面の簡単な説明】
【００１７】
本発明に関する理解を助けるために詳細な説明の一部として含まれる添付の図面は、本発明に関する実施例を提供し、詳細な説明と共に本発明の技術的思想を説明する。
【００１８】
【図１】５Ｇサービスシナリオと性能要求事項を示す。
【図２】３ＧＰＰ  ＬＴＥ／ＬＴＥ−Ａシステムに用いられる物理チャネル及びこれらを用いた一般の信号送信方法を例示する。
【図３】３ＧＰＰ  ＬＴＥ／ＬＴＥ−Ａシステムの無線フレーム（ｒａｄｉｏ  ｆｒａｍｅ）の構造を例示する。
【図４】３ＧＰＰ  ＬＴＥ／ＬＴＥ−ＡシステムのＦＤＤ方式及びＴＤＤ方式を示す。
【図５】３ＧＰＰ  ＬＴＥ／ＬＴＥ−Ａシステムの上りリンクデータ送信手順を示す。
【図６】本発明の一実施例による自己完備型（ｓｅｌｆ−ｃｏｎｔａｉｎｅｄ）サブフレームの構造を例示する。
【図７】本発明の一実施例によるプリアンブルとデータを示す。
【図８】本発明の他の一実施例によるプリアンブルとデータを示す。
【図９】本発明の一実施例によるＤＭＲＳとデータを示す。
【図１０】本発明の一実施例による送信リソースパターンを示す。
【図１１】本発明の一実施例により、互いに異なる時間周波数リソースパターンの間に少なくとも一部のリソースが重なる場合を示す。
【図１２】本発明の一実施例により、プリアンブルとデータが連接した繰り返し／再送信される一例を示す。
【図１３】本発明の一実施例によるプリアンブルを介した競合ベースのデータ送信方法のフローを示す。
【図１４】本発明の一実施例による端末及び基地局を示す。
【発明を実施するための形態】
【００１９】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術によって具現することができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、下りリンクでＯＦＤＭＡを採用し、上りリンクでＳＣ−ＦＤＭＡを採用する。ＬＴＥ−Ａ（Ａｄｖａｎｃｅｄ）は、３ＧＰＰ  ＬＴＥの進展である。
【００２０】
説明の明確性のために、以下では、３ＧＰＰベースの移動通信システムを中心に説明するが、本発明の技術的思想はこれに制限されない。また、以下の説明で使われる特定用語は、本発明の理解を助けるために提供されたもので、これらの特定用語の使用は、本発明の技術的思想から逸脱することなく他の形態に変更されてもよい。
【００２１】
Ｎｅｗ  ＲＡＴを論議するに先立って、３ＧＰＰ  ＬＴＥ／ＬＴＥ−Ａシステムについて簡単に説明する。後述する３ＧＰＰ  ＬＴＥ／ＬＴＥ−Ａに関する説明は、Ｎｅｗ  ＲＡＴの理解を助けるために参照されてもよく、Ｎｅｗ  ＲＡＴの設計と衝突しない幾つかのＬＴＥ／ＬＴＥ−Ａ動作及び設定は、Ｎｅｗ  ＲＡＴにも適用できる。Ｎｅｗ  ＲＡＴは、便宜のために、５Ｇ移動通信とも呼ばれる。
【００２２】
黒丸  ３ＧＰＰ  ＬＴＥ／ＬＴＥ−Ａシステム
【００２３】
図２は、３ＧＰＰ  ＬＴＥ／ＬＴＥ−Ａシステムに用いられる物理チャネル及びこれらを用いた一般の信号送信方法を説明するための図である。
【００２４】
端末は、電源がオフ状態から再びオンになったり、新しくセルに進入したりした場合、Ｓ１０１において、基地局と同期を取る等の初期セル探索（Ｉｎｉｔｉａｌ  ｃｅｌｌ  ｓｅａｒｃｈ）作業を行う。そのために、端末は、基地局からプライマリ同期チャネル（Ｐｒｉｍａｒｙ  Ｓｙｎｃｈｒｏｎｉｚａｔｉｏｎ  Ｃｈａｎｎｅｌ，Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ，Ｓ−ＳＣＨ）を受信して基地局と同期を取り、セルＩＤなどの情報を取得すればよい。その後、端末は、基地局から物理放送チャネル（Ｐｈｙｓｉｃａｌ  Ｂｒｏａｄｃａｓｔ  Ｃｈａｎｎｅｌ）を受信し、セル内放送情報を取得できる。一方、端末は、初期セル探索段階で、下りリンク参照信号（Ｄｏｗｎｌｉｎｋ  Ｒｅｆｅｒｅｎｃｅ  Ｓｉｇｎａｌ，ＤＬ  ＲＳ）を受信し、下りリンクチャネル状態を確認できる。
【００２５】
初期セル探索を終えた端末は、ステップＳ１０２において、物理下りリンク制御チャネル（Ｐｈｙｓｉｃａｌ  Ｄｏｗｎｌｉｎｋ  Ｃｏｎｔｒｏｌ  Ｃｈａｎｎｅｌ，ＰＤＣＣＨ）、及び物理下りリンク制御チャネル情報による物理下りリンク共有チャネル（Ｐｈｙｓｉｃａｌ  Ｄｏｗｎｌｉｎｋ  Ｃｏｎｔｒｏｌ  Ｃｈａｎｎｅｌ，ＰＤＳＣＨ）を受信することによって、より具体的なシステム情報を取得できる。
【００２６】
その後、端末は、基地局への接続を完了するために、ステップＳ１０３乃至ステップＳ１０６のような任意接続過程（Ｒａｎｄｏｍ  Ａｃｃｅｓｓ  Ｐｒｏｃｅｄｕｒｅ）を行うことができる。このため、端末は、物理任意接続チャネル（Ｐｈｙｓｉｃａｌ  Ｒａｎｄｏｍ  Ａｃｃｅｓｓ  Ｃｈａｎｎｅｌ，ＰＲＡＣＨ）を介してプリアンブル（ｐｒｅａｍｂｌｅ）を送信して（Ｓ１０３）、物理下りリンク制御チャネル及びそれに対応する物理下りリンク共有チャネルを介して、プリアンブルへの応答メッセージを受信することができる（Ｓ１０４）。競合ベース任意接続の場合、追加の物理任意接続チャネルの送信（Ｓ１０５）、物理下りリンク制御チャネル及びこれに対応する物理下りリンク共有チャネル受信（Ｓ１０６）のような衝突解決手順（Ｃｏｎｔｅｎｔｉｏｎ  Ｒｅｓｏｌｕｔｉｏｎ  Ｐｒｏｃｅｄｕｒｅ）を行うことができる。
【００２７】
上述したような手順を行った端末は、その後、一般的な上りリンク／下りリンク信号送信手順として、物理下りリンク制御チャネル／物理下りリンク共有チャネルの受信（Ｓ１０７）、及び物理上りリンク共有チャネル（Ｐｈｙｓｉｃａｌ  Ｕｐｌｉｎｋ  Ｓｈａｒｅｄ  Ｃｈａｎｎｅｌ，ＰＵＳＣＨ）／物理上りリンク制御チャネル（Ｐｈｙｓｉｃａｌ  Ｕｐｌｉｎｋ  Ｃｏｎｔｒｏｌ  Ｃｈａｎｎｅｌ，ＰＵＣＣＨ）送信（Ｓ１０８）を行うことができる。端末が基地局へ送信する制御情報を総称して上りリンク制御情報（Ｕｐｌｉｎｋ  Ｃｏｎｔｒｏｌ  Ｉｎｆｏｒｍａｔｉｏｎ，ＵＣＩ）という。ＵＣＩは、ＨＡＲＱ  ＡＣＫ／ＮＡＣＫ（Ｈｙｂｒｉｄ  Ａｕｔｏｍａｔｉｃ  Ｒｅｐｅａｔ  ｒｅＱｕｅｓｔ  Ａｃｋｎｏｗｌｅｄｇｅｍｅｎｔ／Ｎｅｇａｔｉｖｅ−ＡＣＫ）、ＳＲ（Ｓｃｈｅｄｕｌｉｎｇ  Ｒｅｑｕｅｓｔ）、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｉｏｎ）などを含む、本明細書において、ＨＡＲＱ  ＡＣＫ／ＮＡＣＫは、単に、ＨＡＲＱ−ＡＣＫ又はＡＣＫ／ＮＡＣＫ（Ａ／Ｎ）と称する。ＨＡＲＱ−ＡＣＫは、ポジティブＡＣＫ（単に、ＡＣＫ）、ネガティブＡＣＫ（ＮＡＣＫ）、ＤＴＸ及びＮＡＣＫ／ＤＴＸのうちの少なくとも１つを含む。ＵＣＩは、一般に、ＰＵＣＣＨを介して送信されるが、制御情報とトラフィックデータが同時に送信される必要がある場合は、ＰＵＳＣＨを介して送信されてもよい。また、ネットワークの要請／指示によってＰＵＳＣＨを介してＵＣＩを非周期的に送信してもよい。
【００２８】
上述したＬＴＥシステムにおける競合ベースの任意接続過程をより具体的に説明する。
【００２９】
（１）第１のメッセージ送信：先ず、端末は、システム情報又はハンドオーバー命令（Ｈａｎｄｏｖｅｒ  Ｃｏｍｍａｎｄ）によって指示された任意接続プリアンブルの集合から、任意に（ｒａｎｄｏｍｌｙ）１つの任意接続プリアンブルを選択して、この任意接続プリアンブルが送信できるＰＲＡＣＨ（Ｐｈｙｓｉｃａｌ  Ｒａｎｄｏｍ  Ａｃｃｅｓｓ  Ｃｈａｎｎｅｌ）リソースを選択して送信することができる。
【００３０】
（２）第２のメッセージ受信：端末は、任意接続プリアンブルを送信した後、基地局がシステム情報又はハンドオーバー命令によって指示された任意接続応答受信ウィンドー内において、自身の任意接続応答の受信を試みる。より詳しくは、任意接続応答情報は、ＭＡＣ  ＰＤＵの形式で送信されてもよく、このＭＡＣ  ＰＤＵは、ＰＤＳＣＨ（Ｐｈｙｓｉｃａｌ  Ｄｏｗｎｌｉｎｋ  Ｓｈａｒｅｄ  ＣＨａｎｎｅｌ）を介して伝達できる。また、ＰＤＳＣＨによって伝達される情報を端末が適宜に受信するために、端末は、ＰＤＣＣＨ（Ｐｈｙｓｉｃａｌ  Ｄｏｗｎｌｉｎｋ  Ｃｏｎｔｒｏｌ  ＣＨａｎｎｅｌ）をモニタリングした方が好ましい。即ち、ＰＤＣＣＨには、ＰＤＳＣＨを受信すべき端末の情報と、ＰＤＳＣＨの無線リソースの周波数、時間情報、及びＰＤＳＣＨの送信形式などが含まれている方が好ましい。端末が自身に送信されるＰＤＣＣＨの受信に成功した場合、ＰＤＣＣＨの情報に応じてＰＤＳＣＨで送信される任意接続応答を適宜に受信することができる。また、任意接続応答には、任意接続プリアンブル識別子（ＩＤ；例えば、ＲＡＰＩＤ（Ｒａｎｄｏｍ  Ａｃｃｅｓｓ  Ｐｒｅａｍｂｌｅ  ＩＤｅｎｔｉｆｉｅｒ））、上りリンク無線リソースを知らせる上りリンク承認（ＵＬ  Ｇｒａｎｔ）、仮のセル識別子（Ｔｅｍｐｏｒａｒｙ  Ｃ−ＲＮＴＩ）、及び時間同期補正値（Ｔｉｍｉｎｇ  Ａｄｖａｎｃｅ  Ｃｏｍｍａｎｄ：ＴＡＣ）が含まれてもよい。
【００３１】
（３）第３のメッセージ送信：端末が自身に有効な任意接続応答を受信した場合は、任意接続応答に含まれた情報をそれぞれ処理する。即ち、端末はＴＡＣを適用して、仮のセル識別子を記憶させる。また、有効な任意接続応答受信に対応して、送信するデータをメッセージ３バッファーに記憶させることができる。一方、端末は、受信したＵＬ承認を用いて、データ（即ち、第３のメッセージ）を基地局へ送信する。第３のメッセージは、端末の識別子を含む必要がある。競合ベース任意接続過程では、基地局においてどの端末が任意接続過程を行うかを判断することができないが、今後の衝突解決のためには、端末を識別する必要があるからである。
【００３２】
（４）第４のメッセージ受信：端末が任意接続応答に含まれたＵＬ承認によって、自身の識別子を含むデータを送信した後、衝突解決のために、基地局の指示を待つ。即ち、特定のメッセージを受信するために、ＰＤＣＣＨの受信を試みる。端末が自身のセル識別子を介してＰＤＣＣＨを受信した場合、端末は正常的に任意接続過程が行われたと判断して、任意接続過程を終了する。
【００３３】
図３は、３ＧＰＰ  ＬＴＥ／ＬＴＥ−Ａシステムにおける無線フレームの構造を例示する。セルラーＯＦＤＭ無線パケット通信システムにおいて、上りリンク／下りリンクデータパケット送信は、サブフレーム（ｓｕｂｆｒａｍｅ）単位で行われ、一サブフレームは、複数のＯＦＤＭシンボルを含む一定の時間区間で定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００３４】
１フレーム（ｆｒａｍｅ）は、１０個のサブフレーム（ｓｕｂｆｒａｍｅ）で構成され、サブフレームは、時間領域（ｔｉｍｅ  ｄｏｍａｉｎ）において２個のスロット（ｓｌｏｔ）で構成される。１サブフレームを送信するのにかかる時間をＴＴＩ（ｔｒａｎｓｍｉｓｓｉｏｎ  ｔｉｍｅ  ｉｎｔｅｒｖａｌ）という。例えば、１サブフレームの長さは１ｍｓであり、１スロットの長さは０．５ｍｓである。１スロットは時間領域において複数のＯＦＤＭシンボルを含み、周波数領域において複数のリソースブロック（Ｒｅｓｏｕｒｃｅ  Ｂｌｏｃｋ，ＲＢ）を含む。３ＧＰＰ  ＬＴＥ／ＬＴＥ−Ａシステムでは、下りリンクでＯＦＤＭＡを用いるため、ＯＦＤＭシンボルが１シンボル区間を表す。ＯＦＤＭシンボルは、ＳＣ−ＦＤＭＡシンボル又はシンボル区間とも呼ばれる。ＲＢは１スロットにおいて複数の連続した副搬送波（ｓｕｂｃａｒｒｉｅｒ）を含んでもよい。
【００３５】
スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なってもよい。ＣＰには、拡張ＣＰ（ｅｘｔｅｎｄｅｄ  ＣＰ）と一般ＣＰ（ｎｏｒｍａｌ  ＣＰ）とがある。例えば、ＯＦＤＭシンボルが一般ＣＰによって構成された場合、１スロットに含まれるＯＦＤＭシンボルの数は７個であってよい。ＯＦＤＭシンボルが拡張ＣＰによって構成された場合、１ＯＦＤＭシンボルの長さが増加するため、１スロットに含まれるＯＦＤＭシンボルの数は、一般ＣＰの場合に比べて少ない。拡張ＣＰの場合に、例えば、１スロットに含まれるＯＦＤＭシンボルの数は６個であってもよい。端末が速い速度で移動する場合などのようにチャネル状態が不安定な場合は、シンボル間干渉をより減らすために、拡張ＣＰを用いてもよい。 一般ＣＰが用いられる場合、１スロットは７個のＯＦＤＭシンボルを含み、１サブフレームは１４個のＯＦＤＭシンボルを含む。このとき、各サブフレームにおける先頭２個又は３個のＯＦＤＭシンボルはＰＤＣＣＨ（ｐｈｙｓｉｃａｌ  ｄｏｗｎｌｉｎｋ  ｃｏｎｔｒｏｌ  ｃｈａｎｎｅｌ）に割り当て、残りのＯＦＤＭシンボルはＰＤＳＣＨ（ｐｈｙｓｉｃａｌ  ｄｏｗｎｌｉｎｋ  ｓｈａｒｅｄ  ｃｈａｎｎｅｌ）に割り当てられてもよい。即ち、一般ＣＰが用いられる場合、１５ｋＨｚ間隔の副搬送波１２個と７個のＯＦＤＭシンボルで１ＲＢが定義される。
【００３６】
中心周波数６ＲＢ（Ｃｅｎｔｅｒ  Ｆｒｅｑｕｅｎｃｙ  ６ＲＢ）は、同期化のためのプライマリ同期信号（Ｐｒｉｍａｒｙ  Ｓｙｎｃｈｒｏｎｉｚａｔｉｏｎ  Ｓｉｇｎａｌ，ＰＳＳ）、セカンダリ同期信号（Ｓｅｃｏｎｄａｒｙ  Ｓｙｎｃｈｒｏｎｉｚａｔｉｏｎ  Ｓｉｇｎａｌ，ＳＳＳ）及びシステム情報送信のための物理放送信号（Ｐｈｙｓｉｃａｌ  Ｂｒｏａｄｃａｓｔ  Ｃｈａｎｎｅｌ，ＰＢＣＨ）を伝達する。上述したフレーム構造、信号及びチャネルの位置は、一般／拡張ＣＰ、ＴＤＤ／ＦＤＤに応じて変更可能である。
【００３７】
図４は、ＬＴＥ／ＬＴＥ−ＡシステムにおけるＦＤＤ及びＴＤＤを例示する。図４を参照すると、ＦＤＤの場合、下りリンクと上りリンクとの周波数帯域が区分されている。ＴＤＤの場合、同一のバンド内においてサブフレーム単位で下りリンク領域と上りリンク領域とが区分される。
【００３８】
以下、ＬＴＥの上りリンク多重接続方式について説明する。
【００３９】
先ず、ＳＣ−ＦＤＭＡ送信方式について説明する。ＳＣ−ＦＤＭＡは、ＤＦＴ−ｓ−ＯＦＤＭＡ（ｄｉｓｃｒｅｔｅ  Ｆｏｕｒｉｅｒ  ｔｒａｎｓｆｏｒｍ−ｓｐｒｅａｄｉｎｇ−ｏｒｔｈｏｇｏｎａｌ  ｆｒｅｑｕｅｎｃｙ  ｄｉｖｉｓｉｏｎａｌ  ｍｕｌｔｉｐｌｅ  ａｃｃｅｓｓ）とも呼ばれる。ＳＣ−ＦＤＭＡは、ピーク電力対平均電力比（Ｐｅａｋ−ｔｏ−Ａｖｅｒａｇｅ  Ｐｏｗｅｒ  Ｒａｔｉｏ；ＰＡＰＲ）又はＣＭ（Ｃｕｂｅ  Ｍｅｔｒｉｃ）の値を低く保つことのできる送信方式であり、電力増幅器の非−線形（ｎｏｎ−ｌｉｎｅａｒ）歪曲区間を避けて、効率的に送信するための送信方式である。ＰＡＰＲは、波形（Ｗａｖｅｆｏｒｍ）の特性を示すパラメータであって、波形の振幅（ａｍｐｌｉｔｕｄｅ）のピーク（ｐｅａｋ）値を時間平均されたＲＭＳ（Ｒｏｏｔ  Ｍｅａｎ  Ｓｑｕａｒｅ）値で除した値である。ＣＭは、ＰＡＰＲが示す数値に代われる他の測定値である。ＰＡＰＲは、送信側で電力増幅器が支援すべき動的範囲（ｄｙｎａｍｉｃ  ｒａｎｇｅ）に関連する。即ち、ＰＡＰＲ値の高い送信方式を支援するためには、電力増幅器の動的範囲（又は、線形区間）が広いことが求められる。電力増幅器の動的範囲が広いほど、電力増幅器の費用が高くなるため、ＰＡＰＲ値を低く維持する送信方式が上りリンク送信において有利である。これにより、ＰＡＰＲ値を低く維持可能なＳＣ−ＦＤＭＡが、現在の３ＧＰＰ  ＬＴＥシステムにおける上りリンク送信方式として用いられている。
【００４０】
図５は、ＬＴＥ上りリンクのＤＦＴ−ｓ−ＯＦＤＭＡ（又は、ＳＣ−ＦＤＭＡ）方式を説明するためのブロック図である。
【００４１】
エンコーダによって符号化の過程を経た１つ以上のコードワードは、端末特定のスクランブリング信号を用いてスクランブルできる。スクランブルされたコードワードは、送信信号の種類及び／又はチャネル状態に応じて、ＢＰＳＫ、ＱＰＳＫ、１６ＱＡＭ又は６４ＱＡＭの方式で複素シンボルに変調される。その後、変調された複素シンボルは、１つ以上のレイヤーにマッピングされる。
【００４２】
１つのコードワードは、１つのレイヤーにシンボル単位でマッピングされて送信されてもよいが、１つのコードワードが最大に４つのレイヤーに分散してマッピングされてもよい。このように、１つのコードワードが複数のレイヤーに分散してマッピングされる場合、各コードワードを成すシンボルは、レイヤーごとに順次にマッピングされて送信されてもよい。一方、単一のコードワードに基づく送信構成の場合は、エンコーダ及び変調ブロックが１つだけ存在する。
【００４３】
このように、レイヤーマッピングされた信号は、変換プリコーディング（Ｔｒａｎｓｆｏｒｍ  ｐｒｅｃｏｄｉｎｇ）されてもよい。具体的に、レイヤーマッピングされた信号に対して、離散フーリエ変換（Ｄｉｓｃｒｅｔｅ  Ｆｏｕｒｉｅｒ  Ｔｒａｎｓｆｏｒｍ；ＤＦＴ）によるプリコーディングが行われてもよく、レイヤーマッピングされた信号に、チャネル状態に応じて選択された所定のプリコーディング行列が掛けられて、各送信アンテナに割り当てられてもよい。このように処理された各アンテナの送信信号は、それぞれ送信に用いられる時間−周波数リソース要素にマッピングされ、その後、ＯＦＤＭ信号生成器を介して各アンテナを通じて送信されてもよい。
【００４４】
黒丸  Ｎｅｗ  ＲＡＴ
【００４５】
Ｎｅｗ  ＲＡＴ性能要求事項のうち、低遅延要求条件を満たすために、サブフレームが新たに設計される必要がある。
【００４６】
[Ｓｅｌｆ−ｃｏｎｔａｉｎｅｄ  Ｓｕｂｆｒａｍｅ]
【００４７】
図６は、Ｎｅｗ  ＲＡＴのために、新たに提案する自己完備型サブフレーム（Ｓｅｌｆ−ｃｏｎｔａｉｎｅｄ  Ｓｕｂｆｒａｍｅ）を例示する。以下、自己完備型サブフレームは、単に、サブフレームとも呼ばれる。
【００４８】
ＴＤＤベースの自己完備型サブフレームの構造によれば、１サブフレーム内に下りリンクと上りリンクのためのリソース区間（例えば、下りリンク制御チャネル及び上りリンク制御チャネル）が存在する。
【００４９】
図６に示された自己完備型サブフレームの構造では、ＤＬ制御領域−データ領域−ＵＬ制御領域の順にサブフレームが構成されることを例示しているが、本発明はこれに限られない。例えば、他の自己完備型サブフレームの構造として、ＤＬ制御領域−ＵＬ制御領域−データ領域の順にサブフレームが構成されてもよい。
【００５０】
自己完備型サブフレームは、該当サブフレームにおいて送信されるデータの方向に応じて、ＤＬ自己完備型サブフレームとＵＬ自己完備型サブフレームとに区分できる。
【００５１】
このような自己完備型サブフレームの構造において、基地局とＵＥが送信モードから受信モードに切り替えられる過程又は受信モードから送信モードに切り替えられる過程のための時間ギャップ（ｔｉｍｅ  ｇａｐ）が必要である。このため、自己完備型サブフレームの構造において、ＤＬからＵＬに切り替えられる時点に該当する少なくとも１つのＯＦＤＭシンボルがＧＰ（ｇｕａｒｄ  ｐｅｒｉｏｄ）として設定される。ＧＰは、ＤＬからＵＬに切り替えられる時点に位置する。例えば、ＤＬサブフレームにおいてＧＰは、ＤＬデータ領域とＵＬ制御領域との間に位置して、ＵＬサブフレームにおいてＧＰは、ＤＬ制御領域とＵＬデータ領域との間に位置する。
【００５２】
一方、１サブフレームは、一定の時間区間で定義されてもよい。例えば、ＮＲにおいて、１サブフレームの時間区間（ｄｕｒａｔｉｏｎ）は、１ｍｓに固定されてもよい。このとき、１シンボルの区間は、サブキャリア間隔（ｓｕｂｃａｒｒｉｅｒ  ｓｐａｃｉｎｇ）に応じて決定されるため、１サブフレームに含まれるシンボルの数は、サブキャリア間隔に応じて決定できる。例えば、サブキャリア間隔が１５ｋＨｚである場合、１サブフレームには１４シンボルが含まれる。しかし、サブキャリア間隔が２倍に増加して３０ｋＨｚになると、１シンボルの区間（ｄｕｒａｔｉｏｎ）は半分に減るため、１サブフレームに全２８シンボルが含まれる。サブキャリア間隔は、１５ｋＨｚ＊２ｎとなり得、１サブフレームに含まれるシンボルの数は、１４＊２ｎになり得る。ｎは、０、１、２..などの整数であって、必ずしも正の整数に限られるわけではない。例えば、ｎが負の整数−１である場合、１サブフレームには全７のシンボルが含まれる。
【００５３】
[Ｃｏｎｔｅｎｔｉｏｎ  ｂａｓｅｄ  ｄａｔａ  ｔｒａｎｓｍｉｓｓｉｏｎ  ｗｉｔｈ  ｐｒｅａｍｂｌｅ]
【００５４】
競合ベースのデータ送信（Ｃｏｎｔｅｎｔｉｏｎ  ｂａｓｅｄ  ｄａｔａ  ｔｒａｎｓｍｉｓｓｉｏｎ）方式は、ＣＦ（Ｃｏｎｔｅｎｔｉｏｎ  Ｆｒｅｅ）／グラントベースデータ送信（ｇｒａｎｔ−ｂａｓｅｄ  ｄａｔａ  ｔｒａｎｓｍｉｓｓｉｏｎ）方式に比べて、シグナリングオーバーヘッド（ｓｉｇｎａｌｉｎｇ  ｏｖｅｒｈｅａｄ）及び遅延（ｌａｔｅｎｃｙ）を減らすことができる。その一方、ＰＡＲ（ｐａｃｋｅｔ  ａｒｒｉｖａｌ  ｒａｔｅ）の高い環境において、競合ベースのデータ送信方式を用いると、衝突の確立が高くなり得、衝突による再送信が頻繁に発生することで、ＣＦデータ送信方式に比べて非効率的である場合もある。
【００５５】
よって、ＰＡＲ、パケットサイズ、端末の数及び競合リソース領域のサイズ／周期などの様々な要素を考慮して最適化した送信方式が求められる。
【００５６】
以下、競合ベースで送信されるデータは、単に、ＣＢ（ｃｏｎｔｅｎｔｉｏｎ  ｂａｓｅｄ）データとも呼ばれる。
【００５７】
提案する方式は、例えば、（i）ＣＢ  ｄａｔａ  ｔｒａｎｓｍｉｓｓｉｏｎ  ｗｉｔｈ  ｐｒｅａｍｂｌｅ、（ii）Ｐｒｅａｍｂｌｅ  ｐａｔｔｅｒｎ  ｆｏｒ  ＨＡＲＱ  ａｎｄ／ｏｒ  ｒｅｐｅｔｉｔｉｏｎ及び（iii）ＣＢ  ｄａｔａ  ｔｒａｎｓｍｉｓｓｉｏｎ  ｗｉｔｈ  ｃｏｎｔｒｏｌ  ｃｈａｎｎｅｌと分類できる。
【００５８】
後述する例示において、多重接続シグネチャー（ＭＡ  ｓｉｇｎａｔｕｒｅ）情報は、コードブック／コードワード／シーケンス／インターリーバ／マッピングパターン／ＲＳなどを含んでもよい。また、多重ユーザ区分のために活用する情報がＭＡ  ｓｉｇｎａｔｕｒｅに含まれてもよい。
【００５９】
一方、プリアンブルを活用して受信を行う場合、ブラインド検出の複雑度を低減することができる。また、基地局は、端末が送信したプリアンブルを介して、全部又は一部のＵＥ識別子情報を取得することで、ＨＡＲＱをより容易に行うことができる。
【００６０】
−  プリアンブルとデータの構造
【００６１】
先ず、プリアンブルとデータの時間／周波数の構造について説明する。
【００６２】
図７は、本発明の一実施例によるプリアンブルとデータを示す。
【００６３】
図７を参照すると、プリアンブルはＣＢデータ送信リソース領域と連接して位置する。例えば、ＵＥは、データの前にプリアンブルを付けて送信する。このとき、プリアンブルとデータは、１サブフレーム内において連続して送信されてもよい。また、プリアンブルとデータは、１スロット／ミニ−スロット内において連続して送信されてもよい。サブフレーム／スロット／ミニ−スロットは、１個又は複数のシンボルを含んでもよい。
【００６４】
一例として、プリアンブルはＣＰ（ｃｙｃｌｉｃ  ｐｒｅｆｉｘ）を含んでもよい。プリアンブルがＣＳ（ｃｙｃｌｉｃ  ｓｈｉｆｔ）に基づく直交性を有する場合、ＣＰはＣＳに基づくプリアンブルを区分するのに効果的であり得る。
【００６５】
また、プリアンブルの端部（例えば、前側の端部又は後側の端部）にＧＴ（Ｇｕａｒｄ  ｔｉｍｅ）区間を含んでもよい。ＣＰによって補償可能な範囲から外れる非同期受信（Ａｓｙｎｃｈｒｏｎｏｕｓ  ｒｅｃｅｐｔｉｏｎ）が発生しても、ＧＴに基づくタイミングオフセット（ｔｉｍｉｎｇ  ｏｆｆｓｅｔ）が検出でき、よって、同期性能が向上できる。
【００６６】
図８は、本発明の他の一実施例によるプリアンブルとデータを示す。
【００６７】
図８を参照すると、プリアンブルはＣＢデータ送信リソース領域と連接しなくもてよい。即ち、プリアンブルとデータが互いに離隔されていてもよい。例えば、プリアンブルとデータとの間には時間ギャップが存在してもよく、このとき、時間ギャップは、シンボル／ミニ−スロット／スロット／サブフレーム単位の倍数に該当する。
【００６８】
図８の（ａ）は、シンボルの倍数に該当する時間ギャップを示し、図８の（ｂ）は、プリアンブルとＣＢデータが互いに異なるサブフレームに送信される例を示す。
【００６９】
プリアンブルはＣＰを含んでもよい。また、プリアンブルの前側又は後側にＧＴ区間が含まれてもよい。
【００７０】
一方、プリアンブルがデータと連接又は非連接するいずれの場合においても、プリアンブルとデータの周波数領域は同一であってもよく、又は異なってもよい。プリアンブルがデータと連接して、プリアンブルとデータの周波数領域が同一の場合には、ＣＢデータのために先頭に位置したＤＭＲＳがデータ又はプリアンブルに取り替えられてもよい。仮に、ＤＭＲＳがデータに取り替えられる場合、プリアンブルがそのデータの復調のために用いられてもよい。図９の（ａ）は、ｆｒｏｎｔ−ｌｏｃａｔｅｄ  ＤＭＲＳが存在する場合を示し、図９の（ｂ）は、データがｆｒｏｎｔ−ｌｏｃａｔｅｄ  ＤＭＲＳを取り替える場合を示す。
【００７１】
以下、説明の便宜のために、プリアンブルとデータが連接しないことを仮定の上で説明する。しかし、後述する実施例は、プリアンブルとデータが連接する場合にも適用できる。
【００７２】
一方、プリアンブルとデータ送信のためのリソース領域は、予め定義／設定されてもよい。
【００７３】
−  プリアンブルインデックス
【００７４】
プリアンブルインデックスの定義を説明する。プリアンブルインデックスは、（シーケンスの数、物理リソース位置）の関数に該当することができる。一例として、全シーケンスが１６個、時間／周波数単位ブロックが４００個である場合、全４００＊１６個のプリアンブルインデックスが存在する。このとき、時間／周波数単位ブロックは１シーケンスを送信可能な最小単位を意味してもよく、端末と基地局との間にはプリアンブルインデックスに対する事前約束があってもよく、この場合、端末／基地局は、特定のプリアンブルインデックス番号が与えられると、それに該当するシーケンス番号及びプリアンブル送信のために割り当てられたリソース位置を把握することができる。
【００７５】
基地局は該当ＵＥがどのプリアンブルインデックスを用いるかが分かる。該当ＵＥは、単一のＵＥであってもよく、又は複数のＵＥのグループであってもよい。例えば、同一のプリアンブルインデックスを複数のユーザが共有することもできる。
【００７６】
また、時間／周波数単位ブロックとプリアンブルインデックスとの間のマッピングは、論理的マッピングあってもよく、このようなマッピング情報は、予め定義／設定されてもよい。
【００７７】
シーケンスは、単一のＲＥ（Ｒｅｓｏｕｒｃｅ  ｅｌｅｍｅｎｔ）に該当するか、又は複数のＲＥに該当してもよい。また、同一の位置に送信可能なプリアンブルシーケンスは、直交（ｏｒｔｈｏｇｏｎａｌ）してもよく、非−直交（ｎｏｎ−ｏｒｔｈｏｇｏｎａｌ）してもよい。
【００７８】
基地局は上位層シグナリング（例えば、ＲＲＣシグナリング）を介してプリアンブルインデックスを各端末に知らせることができる。例えば、基地局は、端末単位（ＵＥ−ｗｉｓｅ）でプリアンブルインデックスをシグナリングするか、又はグループ単位（ｇｒｏｕｐ−ｗｉｓｅ）でプリアンブルインデックスをシグナリングしてもよい。
【００７９】
端末単位でプリアンブルインデックスが割り当てられる場合は、プリアンブルの衝突が発生しないものの、グループ単位でプリアンブルインデックスが割り当てられる場合は、プリアンブルの衝突が発生する可能性がある。また、グループ単位でプリアンブルインデックスが割り当てられる場合は、リソースがより効率的に用いられるが、端末単位でプリアンブルインデックスが割り当てられる場合は、多くのリソースが予約（ｒｅｓｅｒｖｅｄ）されることによって、リソースの効率性が低下する可能性がある。
【００８０】
基地局はプリアンブルインデックスを再設定（ｒｅ−ｃｏｎｆｉｇｕｒａｔｉｏｎ）することもできる。
【００８１】
プリアンブルインデックスは、オフライン又はブロードキャストに基づいて予め定義されてもよい。
【００８２】
一例として、プリアンブルインデックスは、ＵＥ−ＩＤと連係されて、予め定義されてもよい。具体的に、端末単位のプリアンブルインデックスの数は、ＵＥ−ＩＤの数と同一であってもよく、単に、プリアンブルインデックス＝ＵＥ−ＩＤであってもよい。本発明はこれに限られず、プリアンブルインデックスとＵＥ−ＩＤの１：１のマッピングのために、他の方式が適用されてもよい。
【００８３】
他の例として、グループ単位のプリアンブルインデックスの割り当てにおいて、ＵＥ−ＩＤの数がプリアンブルインデックスの数＊Ｎと仮定すると、プリアンブルインデックス＝ｍｏｄ（ＵＥ−ＩＤ，Ｎ）であってもよい。本発明はこれに限られず、ＵＥ−ＩＤとプリアンブルインデックスのＮ：１のマッピングのために、他の方式が適用されてもよい。
【００８４】
例えば、ＵＥ−ＩＤとプリアンブルインデックスのマッピングに関連して、１：１マッピングモード、Ｎ：１マッピングモード及びＭ：１マッピングモード（ｗｈｅｒｅ,  １＜Ｎ＜Ｍ）として、全３つのプリアンブル（マッピング）モードが存在すると仮定する。基地局は共通制御チャネル上のブロードキャスト又はＲＲＣなどの上位層上のユニキャストを介して、プリアンブルモードを端末にシグナリングすることができる。端末は受信したプリアンブルモードに対して予め定義されたプリアンブルインデックスの数式を用いて、端末のプリアンブルインデックスを取得することができる。
【００８５】
以下の例示において、プリアンブルインデックスは、端末単位で割り当てられてもよく、又はグループ単位で割り当てられてもよい。
【００８６】
基地局と端末がプリアンブルインデックスを用いる場合、ブラインド検出のオーバーヘッドを低減することができ、また衝突ランダム化（ｃｏｌｌｉｓｉｏｎ  ｒａｎｄｏｍｉｚａｔｉｏｎ）などの性能が向上できる。
【００８７】
（i）プリアンブルインデックスとＣＢデータ送信リソースの連係（ｌｉｎｋａｇｅ）／マッピング：基地局は、ＣＢデータ送信リソース領域を指定するために、プリアンブルインデックスを割り当てることができる。一例として、プリアンブルインデックスが４つのグループに分けられ、各グループごとに物理リソース領域（例えば、ＣＢデータ送信を行うリソース領域）が設定されてもよい。リソース領域の区分、該当グループとリソース領域とのマッピングは、予め定義されるか、又はＲＲＣなどの上位層信号を介して予め設定されてもよい。本例示によれば、プリアンブル検出によってデータ送信リソースを把握することができるため、データのブラインド検出の複雑度が低減できる。例えば、基地局／端末は、プリアンブルの検出されていないグループに連係された物理リソース上においてＣＢデータ送信がないと判断して、ブラインド検出を省略してもよい。
【００８８】
（ii）プリアンブルインデックスとＣＢデータ送信領域レベルの連係：基地局は、ＣＢデータ送信領域レベルに応じて、プリアンブルインデックスを割り当てることもできる。ここで、送信領域レベルとは、ＭＣＳレベル又はカバレッジレベルなどを意味してもよく、その情報は、予め定義／設定されてもよい。例えば、プリアンブルインデックスは、２グループに分けられ、最初のグループはＭＣＳ１を用いるように設定され、その他のグループはＭＣＳ２を用いるように設定されてもよい。プリアンブル検出によって送信リソースへのブラインド検出の複雑度が低減できる。例えば、基地局／端末は、検出されたプリアンブルと連係されたＭＣＳでデータが送信されると仮定して、他のＭＣＳに対してはブラインド検出を行わなくてもよい。
【００８９】
（iii）プリアンブルインデックスと少なくとも１つのＭＡ  ｓｉｇｎａｔｕｒｅの連係：基地局は、１つ以上のＭＡ  ｓｉｇｎａｔｕｒｅとプリアンブルインデックスを連係することができる。一例として、プリアンブルインデックスが４つのグループに分けられ、各グループごとに１つ以上のＭＡ  ｓｉｇｎａｔｕｒｅが割り当てられてもよい。このとき、各グループと１つ以上のＭＡ  ｓｉｇｎａｔｕｒｅとのマッピングは、予め定義／設定されてもよい。例えば、ＭＡ  ｓｉｇｎａｔｕｒｅのうち、拡散シーケンスコード（ｓｐｒｅａｄｉｎｇ  ｓｅｑｕｅｎｃｅ  ｃｏｄｅ）１は第１のグループに割り当てられ、拡散シーケンスコード２は第２のグループに割り当てられ、拡散シーケンスコード３は第３のグループに割り当てられ、拡散シーケンスコード４は第４のグループに割り当てられてもよい。プリアンブル検出によって送信リソースへのブラインド検出の複雑度が低減できる。基地局／端末は、検出されたプリアンブルと連係されたＭＡ  Ｓｉｇｎａｔｕｒｅでデータが送信されると仮定して、他のＭＡ  Ｓｉｇｎａｔｕｒｅに対してはブラインド検出を行わなくてもよい。
【００９０】
（iv）プリアンブルインデックスと繰り返し回数（ｒｅｐｅｔｉｔｉｏｎ  ｎｕｍｂｅｒ）の連係：基地局は、繰り返し送信の次数に応じてプリアンブルインデックスを割り当てることができる。また、その繰り返し回数に応じて送信するＣＢデータ物理リソース領域の設定が異なってもよい。このとき、繰り返し回数は１を含んでもよい。一例として、プリアンブルインデックスが２つのグループに分けられ、各グループに繰り返し回数がそれぞれ２と４に設定されたと仮定する。端末は自身が検出したプリアンブルインデックスによって、端末がいずれのグループに属するかを判断した後、そのグループに設定された繰り返し回数だけ繰り返し送信を行うことができる。所定レベルのカバレッジを満たすための端末に応じて、適宜に繰り返し回数が割り当てられてもよい。例えば、端末の性能（ｃａｐａｂｉｌｉｔｙ）、ＲＡＣＨの受信電力及び／又はＳＲＳ受信電力などを考慮して、繰り返し回数が決定されてもよい。
【００９１】
（v）プリアンブルインデックスと繰り返し／再送信のための時間／周波数リソースパターンの連係：基地局は、時間／周波数リソースパターンに応じて、プリアンブルインデックスを割り当てることができる。例えば、図１０は、プリアンブルインデックスに応じて決定される送信リソースパターンを示す。図１０において、時間リソースの単位は、サブフレーム／ミニ−スロット／スロット／シンボルなどであってもよく、周波数リソース単位は、ＲＢ、ＲＢＧなどのサブキャリアグループであってもよい。図１０を参照すると、プリアンブルインデックスに応じて決定されるリソースパターンによれば、信号は４回繰り返し送信される。
【００９２】
図１１は、互いに異なる時間周波数リソースパターン間において少なくとも一部のリソースが重なる場合を示す。例えば、所定のリソースは、プリアンブルインデックス１に該当するリソースパターン１とプリアンブルインデックス２に該当するリソースパターン２に共通して含まれてもよい。
【００９３】
また、再送信の場合、ＲＶ値が予め定義されたパターンに応じて変更されてもよい。一例として、４番目の再送信におけるＲＶ値はそれぞれＲＶ１、ＲＶ３、ＲＶ２、ＲＶ０と設定することができ、これは、３番目の再送信におけるＲＶ値とはその位置が異なり得る。例えば、端末が３番目の再送信においてプリアンブルインデックス１によって決定された４個のリソースを介してデータを４回繰り返し送信して、そのときの４個のリソースに送信されるデータのＲＶパターンがＲＶ０、ＲＶ１、ＲＶ２、ＲＶ３であると仮定する。仮に、端末が４番目の再送信においてプリアンブルインデックス１によって決定された４個のリソースを介してデータを４回繰り返し送信するときの４個のリソースに送信されるデータのＲＶパターンが３番目の再送信とは異なるように設定される場合、再送信の成功確率がより向上することができる。具体的に、ＲＶ０〜２のうち、データのデコーディング成功に大きい影響を及ぼす重要ＲＶ値があり得る。端末が毎回の再送信において重要ＲＶ値に該当するデータをサブフレーム内の同一の時間／周波数リソース（ｌ，ｋ）上で送信して、（ｌ，ｋ）上において強い干渉が入る場合、重要ＲＶ値に該当するデータの送信に失敗する確立が増加する可能性がある。よって、サブフレーム内において重要ＲＶ値に該当するデータが送信されるリソース位置を毎回の再送信ごとにランダムに変更することで、このような問題点を解決することができる。換言すれば、同一のプリアンブルインデックスに該当するリソースパターンを用いても、該当リソースパターンに適用されるＲＶパターンの設定は、毎回の再送信ごとに異なってもよい。
【００９４】
このように、時間ドメインにおいて繰り返し／再送信を行う場合、カバレッジが拡張されてもよく、一部のリソースを互いに異なるリソースパターンに共通して設定することで、より多いＵＥを収容することができる。
【００９５】
（vi）プリアンブルインデックスシーケンスと送信試し回数の連係：基地局は、プリアンブルインデックスシーケンスを端末に割り当てることができる。例えば、繰り返し／再送信の回数に応じて、プリアンブルインデックスのシーケンスが決定されてもよい。
【００９６】
基地局は、新しい送信の開始点を全ての端末に知らせてもよい。或いは、新しい送信の開始点が周期的に存在して、基地局と端末は周期的に示される新しい送信の開始点を知っていてもよい（例えば、予め定義／シグナリング又はブロードキャストなど）。
【００９７】
一例として、再送信／繰り返し送信の回数に応じて、用いられる物理リソース領域が区分され、基地局は区分された物理リソース領域に応じて新しい送信の開始点をグループの端末に知らせてもよい。
【００９８】
一例として、プリアンブルインデックスシーケンスごとにＲＶ値の設定が異なってもよい。４個のプリアンブルｐ１、ｐ２、ｐ３、ｐ４のそれぞれのインデックスが{ｐ１，ｐ２，ｐ３，ｐ４}＝{１，１，２，２}であるとき、これに相応するＲＶ値は{０，０，３，３}であってもよい。ここで、ｐ１は、最初送信のプリアンブルであって、そのインデックス値は１である。インデックス値が１である場合、ＲＶ値は０に相当する。
【００９９】
図１２は、プリアンブルとデータが連接して４回繰り返し／再送信される一例を示す。図１２を参照すると、端末は、指定されたプリアンブルインデックスシーケンスに応じてデータを送信する。よって、基地局は、プリアンブル検出によって、該当端末又は該当端末グループが何番目に送信したデータであるかを知ることができる。
【０１００】
このように、基地局は、送信試し回数をプリアンブルを介して知ることができ、これに基づいて、ＨＡＲＱコンバイニング（ｃｏｍｂｉｎｉｎｇ）を行うことができる。
【０１０１】
一方、上述した（i）〜（vi）の例示は、必ずしも独立して行われる必要はなく、（i）〜（vi）の例示のうち、少なくとも２つ以上の組み合わせが１つの発明として行われてもよい。
【０１０２】
−  端末のプリアンブル選択
【０１０３】
一例として、基地局は端末にプリアンブルインデックスのセットを知らせ、端末は、セットから自身が用いるプリアンブルを選択することで、更なる情報を基地局に知らせることができる。
【０１０４】
（ａ）プリアンブルインデックスとＣＢデータ送信領域レベルの連係：端末は、送信領域レベルに応じて、プリアンブルインデックスを選択して送信することができる。また、端末は、相当する送信領域レベルに応じてデータを送信する。例えば、端末に割り当てられたプリアンブルインデックスセットが{１，２，３}であり、各インデックスが送信領域レベル１、２、３と対応すると仮定する。端末は３つのインデックスのうちの１つを選択して動作することができる。ここで、送信領域レベルとは、例えば、カバレッジレベル、ＭＣＳレベル及び／又は繰り返しレベルなどを含んでもよい。一例として、外側ＵＥの場合、繰り返し送信が必要となる可能性があり、よって、外側ＵＥは自身に求められる繰り返しレベルに該当するプリアンブルインデックスを選択して、データを繰り返し送信することができる。このように、端末は、リンク適応を行うことができる。別例として、端末がＤＬ  ＲＳ電力を測定して、それに基づいて適宜なＭＣＳを決定することができる。この後、端末は決定されたＭＣＳに該当するプリアンブルインデックスを選択した後、データを送信することができる。このように、送信領域レベルとプリアンブルインデックスのマッピングによってブラインド検出の複雑度が低減して、リンク適応によってシステム性能を向上することができる。
【０１０５】
（ｂ）プリアンブルインデックスと繰り返し回数の連係：端末は、チャネル環境に応じて求められる繰り返し回数に相当するプリアンブルインデックスを選択して送信することができる。また、端末は、選択されたプリアンブルインデックスに該当する繰り返し送信回数だけデータを送信する。例えば、割り当てられたプリアンブルインデックスセットが{１，２，３}であり、各インデックスは繰り返し回数１、２、４に対応すると仮定する。端末は３つのプリアンブルインデックスのうちの１つを選択して動作することができる。一例として、端末がＤＬ  ＲＳ電力を測定した結果、チャネル状況が良好であると判断される場合、プリアンブルインデックス１及び繰り返し回数１を選択して送信することができる。或いは、不良なチャネル状況において端末は、プリアンブルインデックス３及び繰り返し回数４を選択して送信することができる。この場合、ブラインド検出の複雑度が低減して、リンク適応によってシステム性能を向上することができる。
【０１０６】
（ｃ）プリアンブルインデックス及び送信試し回数の連係：端末は、送信試し回数に応じて異なるプリアンブルインデックスを用いることができる。一例として、チャネル環境が良くなくて、基地局がこの前のプリアンブルが検出できなかった状況において、最初のプリアンブル検出時に既に送信回数がＮ回以上である場合は、該当端末が承認ベースで動作するように、迅速に切り替えられることができる。Ｄ２Ｄ又はＶ２Ｖ環境のように、プリアンブルの受信が保障されない環境では、送信試し回数に応じて承認ベース送信モードに迅速に切り替えられることができる。例えば、プリアンブルインデックスは、端末の物理層データ送信に対する遅延を基地局に知らせることができる。
【０１０７】
（ｄ）プリアンブルインデックスと繰り返し／再送信モードの連係：端末は、繰り返し／再送信モードに応じてプリアンブルインデックスを設定することができる。例えば、プリアンブルインデックス１は繰り返し送信に該当して、プリアンブルインデックス２は再送信に該当してもよい。基地局は検出されたプリアンブルインデックスに基づいて、該ＣＢデータ送信が繰り返し送信であるか、又は再送信であるかを把握してコンバイニングを行うことができる。プリアンブルインデックスと繰り返し／再送信モードとのマッピング関係は、予め定義／設定されてもよい。
【０１０８】
（ｅ）プリアンブルインデックス（又は、グループインデックス）とＲＲＣ設定（又は、上位層シグナリング）の連係：端末は、プリアンブルインデックスを介してＲＲＣ設定を選択することができる。例えば、プリアンブルインデックス１はＲＲＣ設定１とマッピングされ、プリアンブルインデックス２はＲＲＣ設定２とマッピングされてもよい。そのＲＲＣ設定は、ＭＣＳ、コードレート及び／又はＴＢＳなどを含んでもよい。表１は、ＲＲＣ設定とプリアンブルインデックスとのマッピングを例示する。本例示によれば、端末が複数のＲＲＣ設定を動的に選択して用いることができる。
【０１０９】
【表１】
0006949129.tif 000002
【０１１０】
一方、上述した（ａ）〜（ｅ）の例示は、必ずしも独立して行われる必要がなく、（ａ）〜（ｅ）の例示のうちの少なくとも２つ以上の組み合わせが１つの発明として行われてもよく、さらに、（i）〜（vi）の例示のうちの少なくとも１つがさらに組み合わされてもよい。
【０１１１】
図１３は、本発明の一実施例によるプリアンブルを介した競合ベースのデータ送信方法のフローを示す。上述した内容と重なる説明は省略することがある。
【０１１２】
図１３を参照すると、端末は複数のプリアンブルのうちのいずれか１つを送信する（１３０５）。
【０１１３】
端末は送信されたプリアンブルを考慮して、データの競合ベース送信を行う（１３１０）。  
【０１１４】
複数のプリアンブルのそれぞれが複数のデータリソース領域と連係されてもよい。データの競合ベース送信を行うために、端末は送信されたプリアンブルと連係された複数のデータリソース領域を介して前記データを繰り返し送信することができる。
【０１１５】
端末は送信されたプリアンブルと連係された複数のデータリソース領域の数だけデータを繰り返し送信することができる。例えば、複数のプリアンブルは、それぞれ異なるデータ繰り返し回数と連係されてもよい。
【０１１６】
複数のプリアンブルのそれぞれは、端末グループ単位で割り当てられ、同一の端末グループに属した端末は、同一のプリアンブルを用いることができる。
【０１１７】
端末は基地局から複数のプリアンブルの割り当て情報を受信して、端末のチャネル状態に応じて、複数のプリアンブルから端末が送信しようとするプリアンブルを選択することができる。
【０１１８】
データには競合ベース送信のための拡散シーケンスコードが適用され、複数のプリアンブルは、それぞれ異なる拡散シーケンスコードと連係されてもよい。
【０１１９】
図１４は、本発明の一実施例による無線通信システム１００における基地局１０５及び端末１１０の構成を示すブロック図である。
【０１２０】
無線通信システム１００を簡略に示すために、１つの基地局１０５と１つの端末１１０を示したが、無線通信システム１００は１つ以上の基地局及び／又は１つ以上の端末を含むことができる。
【０１２１】
基地局１０５は、送信（Ｔｘ）データプロセッサ１１５、シンボル変調器１２０、送信器１２５、送受信アンテナ１３０、プロセッサ１８０、メモリ１８５、受信器１９０、シンボル復調器１９５及び受信データプロセッサ１９７を含むことができる。そして、端末１１０は、送信（Ｔｘ）データプロセッサ１６５、シンボル変調器１７０、送信器１７５、送受信アンテナ１３５、プロセッサ１５５、メモリ１６０、受信器１４０、シンボル復調器１５５及び受信データプロセッサ１５０を含むことができる。送受信アンテナ１３０、１３５はそれぞれ基地局１０５及び端末１１０に１つとして示されているが、基地局１０５及び端末１１０は複数の送受信アンテナを備えている。よって、本発明による基地局１０５及び端末１１０はＭＩＭＯ（Ｍｕｌｔｉｐｌｅ  Ｉｎｐｕｔ  Ｍｕｌｔｉｐｌｅ  Ｏｕｔｐｕｔ）システムを支援する。また、本発明による基地局１０５はＳＵ−ＭＩＭＯ（Ｓｉｎｇｌｅ  Ｕｓｅｒ−ＭＩＭＯ）ＭＵ−ＭＩＭＯ（Ｍｕｌｔｉ  Ｕｓｅｒ−ＭＩＭＯ）方式をいずれも支援することができる。
【０１２２】
下りリンク上で、送信データプロセッサ１１５はトラフィックデータを受信し、受信したトラフィックデータをフォーマットしてコードし、コードされたトラフィックデータをインターリーブして変調し（又はシンボルマッピングし）、変調シンボル（「データシンボル」）を提供する。シンボル変調器１２０はこのデータシンボルとパイロットシンボルを受信及び処理してシンボルのストリームを提供する。
【０１２３】
シンボル変調器１２０は、データ及びパイロットシンボルを多重化し、これを送信器１２５に送信する。ここで、それぞれの送信シンボルはデータシンボル、パイロットシンボル又はゼロの信号値であり得る。それぞれのシンボル周期で、パイロットシンボルが連続的に送信されることもできる。パイロットシンボルは周波数分割多重化（ＦＤＭ）、直交周波数分割多重化（ＯＦＤＭ）、時分割多重化（ＴＤＭ）又はコード分割多重化（ＣＤＭ）シンボルであり得る。
【０１２４】
送信器１２５はシンボルのストリームを受信し、これを１つ以上のアナログ信号に変換し、さらにこのアナログ信号を追加的に調節して（例えば、増幅、フィルタリング及び周波数アップカンバーティング（ｕｐｃｏｎｖｅｒｔｉｎｇ）して、無線チャネルを介した送信に適した下りリンク信号を発生させる。すると、送信アンテナ１３０は発生した下りリンク信号を端末に送信する。
【０１２５】
端末１１０の構成において、受信アンテナ１３５は基地局からの下りリンク信号を受信し、受信された信号を受信器１４０に提供する。受信器１４０は受信された信号を調整し（例えば、フィルタリング、増幅、及び周波数ダウンカンバーティング（ｄｏｗｎｃｏｎｖｅｒｔｉｎｇ））、調整された信号をデジタル化してサンプルを獲得する。シンボル復調器１４５は受信されたパイロットシンボルを復調し、チャネル推定のためにこれをプロセッサ１５５に提供する。
【０１２６】
また、シンボル復調器１４５はプロセッサ１５５から下りリンクに対する周波数応答推定値を受信し、受信されたデータシンボルに対してデータ復調を行って（送信されたデータシンボルの推定値である）データシンボル推定値を獲得し、データシンボル推定値を受信（Ｒｘ）データプロセッサ１５０に提供する。受信データプロセッサ１５０はデータシンボル推定値を復調（すなわち、シンボルデマッピング（ｄｅｍａｐｐｉｎｇ））し、デインターリーブ（ｄｅｉｎｔｅｒｌｅａｖｉｎｇ）し、デコードして、送信されたトラフィックデータをリカバリーする。
【０１２７】
シンボル復調器１４５及び受信データプロセッサ１５０による処理はそれぞれ基地局１０５でのシンボル変調器１２０及び送信データプロセッサ１１５による処理に対して相補的である。
【０１２８】
端末１１０は上りリンク上で、送信データプロセッサ１６５はトラフィックデータを処理してデータシンボルを提供する。シンボル変調器１７０はデータシンボルを受信して多重化し、変調を行い、シンボルのストリームを送信器１７５に提供することができる。送信器１７５はシンボルのストリームを受信及び処理して上りリンク信号を発生させる。そして、送信アンテナ１３５は発生した上りリンク信号を基地局１０５に送信する。端末及び基地局における送信器及び受信器は、１つのＲＦ（Ｒａｄｉｏ  Ｆｒｅｑｕｅｎｃｙ）ユニットからなってもよい。
【０１２９】
基地局１０５において、端末１１０から上りリンク信号が受信アンテナ１３０を介して受信され、受信器１９０は受信した上りリンク信号を処理してサンプルを取得する。ついで、シンボル復調器１９５はこのサンプルを処理し、上りリンクに対して受信されたパイロットシンボル及びデータシンボル推定値を提供する。受信データプロセッサ１９７はデータシンボル推定値を処理し、端末１１０から送信されたトラフィックデータをリカバリーする。
【０１３０】
端末１１０及び基地局１０５のそれぞれのプロセッサ１５５、１８０はそれぞれ端末１１０及び基地局１０５での動作を指示（例えば、制御、調整、管理など）する。それぞれのプロセッサ１５５、１８０はプログラムコード及びデータを記憶するメモリユニット１６０、１８５と接続されることができる。メモリ１６０、１８５はプロセッサ１８０に接続され、オペレーティングシステム、アプリケーション、及び一般ファイル（ｇｅｎｅｒａｌ  ｆｉｌｅｓ）を記憶する。
【０１３１】
プロセッサ１５５、１８０はコントローラー（ｃｏｎｔｒｏｌｌｅｒ）、マイクロコントローラー（ｍｉｃｒｏｃｏｎｔｒｏｌｌｅｒ）、マイクロプロセッサ（ｍｉｃｒｏｐｒｏｃｅｓｓｏｒ）、マイクロコンピューター（ｍｉｃｒｏｃｏｍｐｕｔｅｒ）などとも呼ばれる。一方、プロセッサ１５５、１８０はハードウェア（ｈａｒｄｗａｒｅ）又はファームウエア（ｆｉｒｍｗａｒｅ）、ソフトウェア、又はこれらの組み合わせによって実現されることができる。ハードウェアを用いて本発明の実施例を実現する場合には、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）又はＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ１５５、１８０に備えられてもよい。
【０１３２】
一方、ファームウエア又はソフトウェアを用いて本発明の実施例を具現する場合には、本発明の機能又は動作を行うモジュール、過程又は関数などを含むようにファームウエア又はソフトウェアが構成されることができ、本発明を実行するように構成されたファームウエア又はソフトウェアはプロセッサ１５５、１８０内に備えられるか、メモリ１６０、１８５に記憶されてプロセッサ１５５、１８０によって駆動されることができる。
【０１３３】
端末と基地局の無線通信システム（ネットワーク）間の無線インターフェースプロトコルのレイヤーは通信システムでよく知られたＯＳＩ（ｏｐｅｎ  ｓｙｓｔｅｍ  ｉｎｔｅｒｃｏｎｎｅｃｔｉｏｎ）モデルの下位３個レイヤーに基づいて、第１のレイヤーＬ１、第２のレイヤーＬ２及び第３のレイヤーＬ３に分類されることができる。物理レイヤーは前記第１のレイヤーに属し、物理チャネルを介して情報送信サービスを提供する。ＲＲＣ（Ｒａｄｉｏ  Ｒｅｓｏｕｒｃｅ  Ｃｏｎｔｒｏｌ）レイヤーは前記第３のレイヤーに属し、ＵＥとネットワーク間の制御無線リソースを提供する。端末、基地局は無線通信ネットワークとＲＲＣレイヤーを介してＲＲＣメッセージを交換することができる。
【０１３４】
以上説明してきた実施例は、本発明の構成要素及び特徴を所定形態に結合したものである。各構成要素又は特徴は、別の明示的な言及がない限り、選択的なものとして考慮しなければならない。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新しい請求項として含めたりできるということは明らかである。
【０１３５】
本発明は、本発明の精神及び必須の特徴から逸脱しない範囲で、他の特定の形態に具体化することができる。よって、上記の詳細な説明はいずれの面においても制限的に解釈してはならず、例示的なものとして考慮しなければならない。本発明の範囲は、添付の請求項の合理的解釈によって定められなければならず、本発明の等価的範囲内における変更はいずれも本発明の範囲に含まれる。
【産業上の利用可能性】
【０１３６】
上述のように、本発明は、様々な無線通信システムに適用することができる。
【図１】
0006949129.tif 000003
【図２】
0006949129.tif 000004
【図３】
0006949129.tif 000005
【図４】
0006949129.tif 000006
【図５】
0006949129.tif 000007
【図６】
0006949129.tif 000008
【図７】
0006949129.tif 000009
【図８】
0006949129.tif 000010
【図９】
0006949129.tif 000011
【図１０】
0006949129.tif 000012
【図１１】
0006949129.tif 000013
【図１２】
0006949129.tif 000014
【図１３】
0006949129.tif 000015
【図１４】
0006949129.tif 000016